(57)【要約】      （修正有）【課題】コルク栓或いは瓶を回転させる際に、押える力が小さくてすむスパークリングワイン用のオープナーの提供。【解決手段】コルク栓を挿入するために形成された円筒状挿入孔３と、挿入孔３と連通するように他方端に向かって形成された空隙部４と、空隙部４と連接する隔壁部５と、隔壁部５に空隙部４と連通するねじ孔部６を有するねじ挿入部７とからなる本体部１と、ねじ孔部６と羅合するように構成されたねじ溝部１３が形成されたねじ部１２を有するとともに、先端には空隙部４に収納されるように形成されたコルク栓押え部１４と、後端にはねじ挿入部７から突出して形成されたねじ部１２に連接するつまみ部１１を有するコルク栓押圧部１０とから構成されている。【選択図】図３
2014162560.tif 000002
【特許請求の範囲】
【請求項１】
一方端側にコルク栓を挿入するために形成された円筒状挿入孔と、前記円筒状挿入孔と連通するように他方端に向かって形成された空隙部と、前記空隙部と連接する隔壁部と、前記隔壁部に前記空隙部と連通するねじ孔部を有するねじ挿入部とからなる本体部と、前記ねじ孔部と羅合するように構成されたねじ溝部が形成されたねじ部を有するとともに、先端には前記空隙部に収納されるように形成されたコルク栓押え部と、後端には前記ねじ挿入部から突出して形成されたねじ部に連接するつまみ部を有し、かつ前記ねじ部と前記コルク栓押え部とがそれぞれ独立して回動するように接合しているコルク栓押圧部とから構成されていることを特徴とするスパークリングワイン用のオープナー。
【請求項２】
請求項１に記載のオープナーにおいて、前記円筒状挿入孔の曲面の曲率と前記コルク栓押え部のコルク栓の押え面の曲率が同一であることを特徴とするスパークリングワイン用のオープナー。
【請求項３】
請求項１及び請求項２に記載のオープナーにおいて、前記円筒状挿入孔の曲面及び前記コルク栓押え部のコルク栓押え曲面にそれぞれ適宜、複数本の線条溝或いは蛇腹状の凹凸部を形成してなることを特徴とするスパークリングワイン用のオープナー。
【請求項４】
請求項１乃至請求項３に記載のオープナーにおいて、前記コルク栓押圧部が前記ねじ部の後端部に形成されたねじ部頭部と、回転方向切替え式のラチェット機構を介して接合されているレバー部とからなることを特徴とするスパークリングワイン用のオープナー。
【請求項５】
請求項１乃至請求項４に記載のオープナーにおいて、前記本体部の前記ねじ挿入部側の両側面に握持用の凹部を形成してなることを特徴とするスパークリングワイン用のオープナー。
【発明の詳細な説明】
【技術分野】
【０００１】  本発明は、シャンパンやその他のスパークリングワイン等のコルク栓を抜くためのオープナーに関する。
【背景技術】
【０００２】  シャンパンやスパークリングワインは、近年わが国でも消費量が増加しており飲む機会も増している。しかし、シャンパンやスパークリングワインは、瓶内部に高いガス圧がかかっており、この高いガスの内部圧に耐えるようにワイヤーゲージによって保持されたコルクやプラスチックの栓によって閉じられている。したがってこれ等の栓はきつく封をされており、素手でこの栓を抜くのは慣れていないとなかなか難しいものである。手の大きさも小さく、力も強くない女性の場合は特に苦労するものである。また不意にコルク栓が抜けて周囲の人や物に接触して思わぬ事故に結びつくこともある。【０００３】  そこで例えば、特許文献１には、下端から延出する複数の爪を有する栓抜きと、この栓抜きの外側に上下動可能に配置された筒と、前記爪が栓に引っ掛かるように高さを調整する調整ねじとを有し、前記栓抜きを前記栓に被せて、前記筒を下げることで前記栓に引っ掛かる前記爪を固定し、前記栓抜きを回し上げることにより栓を抜けるようにするオープナーが開示されている（特許文献１の図１）。【０００４】  また特許文献２には、一対の部材から成り、部材はそれぞれ柄部と、栓又は蓋を挟持するための挟持部と、ヒンジ部とを有し、挟持部は柄部とヒンジ部の間に存在し、前記一対の部材は開いた位置と閉じた位置の間でヒンジ軸線を中心に回転するようにヒンジ部においてヒンジ結合され、前記ヒンジ部は、部材の長さ方向に突出し指掛部を構成しているオープナーが開示されている（特許文献２の図１）
【先行技術文献】
【特許文献】
【０００５】
【特許文献１】特許３６７２２１８号公報
【特許文献２】特開２００９−２５５９３５号公報
【発明の概要】
【発明が解決しようとする課題】
【０００６】  しかし、特許文献１に開示された発明は、栓抜きの爪がコルク栓の下に引っ掛かるようになっているが、コルク栓に深く食い込んで固定されるものではないため、コルク栓を回転させて抜くというよりも、引き上げることによりコルク栓を抜くようにしたものと思われる。しかし、このようなコルク栓を上方に引き上げて抜く方法は強い力が必要となり、格別にてこの原理を利用したような手段が無いと、素手で引き上げるのとあまり変わらず、引き抜くためには予想以上に強い力が必要なものである。【０００７】  また、特許文献２に開示された発明は、確かに挟持部でコルク栓を挟持することでコルク栓を回転させて抜き取ることが可能である。しかし、オープナーの指掛部に指を掛け、挟持部を囲むように手で握るようにしてコルク栓を回転させて抜くものであるが、手でコルク栓の上を被って回転させるので、てこの原理を充分に利用することが出来ず、軽い力でコルク栓を回転させることが出来ないため、未だ大きな力が必要である。また、コルク栓がガス圧の勢いで飛び出したときに強い圧力が直接手のひらに掛かることになる。さらに、このようなヒンジ部を有してコルク栓を挟み込んで抜き出すタイプのオープナーは、コルク栓を抜き出すまで柄部を常に強い力で握持し続けなければならず、思いのほか疲労するものである。
【課題を解決するための手段】
【０００８】  そこで、上記の問題点を解決するために、本願の請求項１に係る発明は、一方端側にコルク栓を挿入するために形成された円筒状挿入孔と、前記円筒状挿入孔と連通するように他方端に向かって形成された空隙部と、前記空隙部と連接する隔壁部と、前記隔壁部に前記空隙部と連通するねじ孔部を有するねじ挿入部とからなる本体部と、前記ねじ孔部と羅合するように構成されたねじ溝部が形成されたねじ部を有するとともに、先端には前記空隙部に収納されるように形成されたコルク栓押え部と、後端には前記ねじ挿入部から突出して形成されたねじ部に連接するつまみ部を有し、かつ前記ねじ部と前記コルク栓押え部とがそれぞれ独立して回動するように接合しているコルク栓押圧部とから構成されていることを特徴とする。【０００９】  また請求項２に係る発明は、請求項１に記載のオープナーにおいて、前記円筒状挿入孔の曲面の曲率と前記コルク栓押え部のコルク栓の押え面の曲率が同一であることを特徴とする。【００１０】  請求項３に係る発明は、請求項１及び請求項２に記載のオープナーにおいて、前記円筒状挿入孔の曲面及び前記コルク栓押え部のコルク栓押え面にそれぞれ適宜、複数本の線条溝或いは蛇腹状の凹凸部を形成してなることを特徴とする。【００１１】  請求項４に係る発明は、請求項１乃至請求項３に記載のオープナーにおいて、前記コルク栓押圧部が前記ねじ部の後端部に形成されたねじ部頭部と、回転方向切替え式のラチェット機構を介して接合されているレバー部とからなることを特徴とする。【００１２】  請求項５に係る発明は、請求項１乃至請求項４に記載のオープナーにおいて、前記本体部の前記ねじ挿入部側の両側面に握持用の凹部を形成してなることを特徴とする。
【発明の効果】
【００１３】  請求項１に記載の発明によれば、てこの原理を利用することができるので、従来のような強い力でコルク栓を回転させて抜き取る必要がない。また、前記つまみ部を回転させると、前記コルク栓押圧部が前方に摺動して、前記コルク栓押え部が強くコルク栓を挟持するので、コルク栓を抜き取る間中、従来のオープナーのように柄部を常に強い力で握持している必要が全くない。このような結果、一般の男性は勿論のこと、力の弱い女性や高齢者にとっても、非常に簡単に操作でき、またコルク栓が飛び出すこともないので恐怖感も全く感じることなくコルク栓の抜栓を行なうことが出来るようになる。【００１４】  請求項２に記載の発明によれば、コルク栓の円周に沿って前記コルク栓押え部のコルク栓押え面が接触するので、コルク栓に対して充分な押圧がなされて確実な固定がなされる。【００１５】  請求項３に記載の発明によれば、前記円筒状挿入孔の曲面及び前記コルク栓押え部のコルク栓押え面にそれぞれ適宜、複数本の線条溝或いは蛇腹状の凹凸部が形成されているので、コルク栓を回転させる際又は瓶を回転させる際に、この複数本の線条溝の縁或いは蛇腹状の凹凸部の凸部の頂部にコルク栓が引っ掛かりより一層コルク栓を固定させ且つ回転させ易くなる。【００１６】  請求項４に記載の発明によれば、回転方向切替え式のラチェット機構を介して接合されているレバー部を遥動させることにより、前記コルク栓押圧部を前方に摺動させてコルク栓を簡単に挟持固定することができ、また回転方向の切替えレバーを切替えて、同じくレバー部を遥動させることで、前記コルク栓押圧部を後方に摺動させることができ、コルク栓を簡単に外す事ができる。【００１７】  請求項５に記載の発明によれば、前記本体部の前記ねじ挿入部側の両側面に握持用の凹部を形成しているので、指が確実に馴染むように前記本体部を握持固定することができる。
【図面の簡単な説明】
【００１８】
【図１】本発明に係るオープナーを示した平面図
【図２】本発明に係るオープナーを示した底面図
【図３】本発明に係るオープナーのＩ−Ｉ線の一部断面図
【図４】本発明に係るオープナーの他の実施形態の正面図
【図５】他の実施形態のラチェット機構を示すレバー部の一部断面図
【発明を実施するための形態】
【００１９】  以下、本発明の好適な実施形態について、図面を参照にしながら説明する。
【００２０】  図１は、本発明に係るスパークリングワインオープナーを上方から見た平面図を示すものである。このスパークリングワインオープナーは、本帯部１とコルク栓押圧部１０とから構成されている。この本体部１には、後端部側の左右側面側に指を掛けて握持するための握持用凹部２が形成されている。また図２及び図３に示すように、本体部１の先端部には、スパークリングワインのコルク栓を挿入するための円筒状挿入部３が、本体部１の底辺部側を開口して形成されている。４は円筒状挿入部３から連通するように形成された空隙部である。この空隙部４には、隔壁部５が連接して形成されている。そしてこの隔壁部５にはねじ孔部６が形成されており、ねじ挿入部７と連通するように形成されている。
【００２１】  また、コルク栓押圧部１０は、つまみ部１１とこれと連接するねじ溝部１３を形成してなるねじ部１２とさらに先端のコルク栓押え部１４とにより構成されている。そしてねじ部１２の先端部には、その円周に沿って凹溝部１２ａが形成されている。一方コルク押え部１４は、上段の部材１４ａ及び下段の部材１４ｂに分割されており、ねじ１４ｃによって、一体に固着されるように構成されている。またコルク栓押え部１４の後端側には、ねじ部１２の先端に形成された凹溝部１２ａが緩やかに嵌まり込むように、凹溝部１２ａとの間に僅かな間隙を有するように凸状部１４ｄを有する孔が穿設されている。この構成により、ねじ部１２とコルク栓押え部１４とは、互いに独立して回転するように接合されることになる。
【００２２】  また、このねじ部１２とコルク栓押え部１４とは、互いに独立して回転するように接合されていればどのような構造であってもよく、図示しないが、例えば、Ｅリングとワッシャとにより、ねじ部１２とコルク栓押え部１４とを押えつつ回転自在に接合するようなものであってもよい。
【００２３】  このコルク栓押圧部１０は、ねじ部１２に形成されたねじ溝部１３を介して、ねじ孔部６と摺動自在に螺合している。したがって、つまみ部１１を回転させることにより、コルク栓押圧部１０が前後に摺動し、前方に摺動した場合には、円筒状挿入部３に挿入されたコルク栓をその曲面８とコルク栓押え部１４のコルク栓を押える曲面１５でしっかりとコルク栓を挟持固定する。この円筒状挿入部３を構成する曲面８とコルク栓押え部１４のコルク栓を押える曲面１５は同一の曲率で構成されており、コルク栓を構成する曲面としっかり合うように形成されている。また、円筒状挿入部３を構成する曲面８とコルク栓押え部１４のコルク栓を押える曲面１５には適宜に形成された複数の線条溝乃至蛇腹状の凹凸部９及び１６が形成されており、コルク栓に食い込むように押えるようになっている。
本体部１及びコルク栓押圧部１０の材料はアルミニウムであって、ダイキャスト或いは切削により形成される。但し、アルミニウム以外の金属や合成樹脂、或いは硬質の木材を用いてもよいし、金属、合成樹脂及び木材を複合させた構成であってもよい。
【００２４】  図４に示された発明は当該発明を実施するための別の形態であり、ねじ部１２に形成されたねじ部頭部１７は、回転切替えスイッチ１９を有するラチェット機構を介してレバー部１８と接合している。ねじ部頭部１７の周囲には複数のラチェット歯２７が形成されたラチェットリング２８がねじ部頭部１７に固着されている。レバー部１８のラチェットリング２８の近傍には回転切替えスイッチ１９を設置するための左右に開口部２９を有する溝が形成されており、この溝には、回転軸２３を介して回転切替えスイッチ１９が枢着されている。回転切替えスイッチ１９は、全体として略台形状で、その上縁の左右にそれぞれラチェット歯２７に係合する係止爪２１が形成されている。また回転切替えスイッチ１９の両端は、前記溝の左右の開口部２９より外部に突出して切替え爪２０を構成し、また回転切替えスイッチ１９の下縁の中央部にも係止凸部２２が形成されている。
【００２５】  当該溝の下方壁の中央部には、長孔２４が形成されている。この長孔２４の内部にはスプリング２５が挿入されており、さらにその上部には鋼球２６が載置されており、回転切替えスイッチ１９の下縁の中央部に形成されている係止凸部２２に形成された左右いずれかの斜面に圧接せしめて回転切替えスイッチ１９の動きを制御している。このような構成により、回転切替えスイッチ１９の開口部２９から突出している切替え爪２０を押し込むと、回転切替えスイッチ１９の下縁の中央部の係止凸部２２が鋼球２６を押し込んで、反対側の斜面に鋼球２６が当接すると同時に、それまでラチェット歯２７に係合していた係止爪２１が離れてもう一方の係止爪２１が、ラチェット歯２７に係合するようになる。これによりレバー部１８の遥動により回転するねじ部頭部１７の回転が反転することになる。このような作用によって、切替え爪２０を操作するだけで、コルク栓押圧部１０を前後に摺動させることができ、コルク栓を挟持固定したり取り外したりすることが可能となる。
【００２６】  次に、本発明の使用方法について説明する。通常スパークリングワインのコルク栓は、ワイヤーケージによって保持されており飛び出しを防止している。したがって、コルク栓を外す時にはこのワイヤーケージを取り外すか、取り外す前に円形状挿入部３にコルク栓を挿入した後に、本発明の本体部１の握持用凹部２に指を当てて本体部１を押えながら、ワイヤーケージを緩めておく。そして、つまみ部１１を回転させながら、コルク栓押圧部１０を前方に摺動させる。そしてコルク栓押圧部１０の先端部にあるコルク栓押え部１４のコルク栓を押える曲面１５がコルク栓の曲面をしっかりと押圧し、コルク栓を挟持固定するまでつまみ部１１を回転する。
【００２７】  次に、しっかりとコルク栓を挟持固定したことを確認したあと、瓶を手で持ち、スパークリングワインオープナーを固定して瓶の方を回転させる。この際スパークリングワインオープナーの方を回転させることで、コルク栓を抜くこともできる。この時、コルク栓を無理に上方に引き上げて抜こうとするとかえって抜き辛く、無用に労力を使用することになる。通常瓶を回転させると、自然にコルク栓が瓶内部のガス圧によって浮いてくる。何度か回転を繰り返していると抜け始めるので、できるだけ音をさせないようにするために、スパークリングワインオープナーでコルク栓を押えつつゆっくり外すことなる。この時、本体部１の握持用凹部２に指を当てているので、コルク栓の中心部より離れて本体部１を握持することになりてこの原理がはたらき、押える力が小さくても済み、力の弱い女性や高齢者であっても簡単に抑えておくことが可能である。また、コルク栓押圧部１０によりしっかりとコルク栓を固定しているので、従来のようなヒンジ部を有するコルク栓を挟み込むタイプのスパークリングワインオープナーのように、コルク栓を抜くまで強い力で柄部を握持してコルク栓を固定させておく必要がなく全く疲労感も生じない。また突然コルク栓が飛び出だして周囲の人や物に対して不測の事故を生じさせることもない。コルク栓を抜き取った後は、つまみ部１１を回転させてコルク栓押圧部１０を後方へと摺動させて、円形状挿入部３からコルク栓を取り出す。
【符号の説明】
【００２８】１  本体部
２  握持用凹部
３  円筒状挿入部
４  空隙部
５  隔壁部
６  ねじ孔部
９  線条溝或いは蛇腹状の凹凸部
１０  コルク栓押圧部
１１  つまみ部
１２  ねじ部
１３  ねじ溝部
１４  コルク栓押え部
１７  ねじ部頭部
１８  レバー部
１９  回転切替えスイッチ
２０  切替え爪
２１  係止爪
２２  係止凸部
２５  スプリング
２６  鋼球
２７  ラチェット歯
２８  ラチェットリング
【図１】
2014162560.tif 000003
【図２】
2014162560.tif 000004
【図３】
2014162560.tif 000005
【図４】
2014162560.tif 000006
【図５】
2014162560.tif 000007